(57)【要約】【課題】  １つの封止体であっても送出される光の指向範囲を拡張し、広い範囲に光を送出できるようにして機能向上を図る。【解決手段】  ２本のリード端子２ａ，２ｂの先端部に発光ダイオード素子Ｓを固着し、この発光ダイオード素子Ｓを透光性樹脂からなる封止体１０で封止して構成するとともに、この封止体１０に発光ダイオード素子Ｓを通る異なる光軸Ｐ１，Ｐ２の凸レンズＴ１，Ｔ２を形成し、各凸レンズＴ１，Ｔ２の収束作用により光の指向範囲を拡張する。【選択図】  図１
2007157911.tif 000002
【特許請求の範囲】
【請求項１】
発光ダイオード素子を透光性樹脂からなる封止体で封止し、該封止体に上記発光ダイオード素子を通る光軸を有した凸レンズを形成してなる発光ダイオードランプにおいて、
上記封止体に光軸の異なる２以上の凸レンズを形成したことを特徴とする発光ダイオードランプ。
【請求項２】
上記発光ダイオード素子に対して１つの特定の凸レンズを設定し、上記封止体を、上記発光ダイオード素子の中心軸に対して回転対称形の円柱状の本体部を備えて構成し、上記特定の凸レンズを上記本体部の上端部に形成し、他の凸レンズを上記本体部の上端部以外の部分に形成したことを特徴とする請求項１記載の発光ダイオードランプ。
【請求項３】
上記発光ダイオード素子に対して１つの特定の凸レンズを設定し、該特定の凸レンズの光軸と他の凸レンズの光軸とのなす角度θを、６０°≦θ≦１５０°にしたことを特徴とする請求項１または２記載の発光ダイオードランプ。
【請求項４】
上記特定の凸レンズの光軸と他の凸レンズの光軸とのなす角度θを、９０°＜θ≦１５０°にしたことを特徴とする請求項３記載の発光ダイオードランプ。
【請求項５】
上記発光ダイオード素子に対して１つの特定の凸レンズを設定し、該特定の凸レンズの光軸を中心にした１つの円周上を他の凸レンズの光軸が交差するように該他の凸レンズを２以上形成したことを特徴とする請求項１乃至４いずれかに記載の発光ダイオードランプ。
【請求項６】
上記他の凸レンズを、上記特定の凸レンズの光軸を中心に互いに対称になるように形成したことを特徴とする請求項５記載の発光ダイオードランプ。
【請求項７】
発光ダイオード素子を透光性樹脂からなる封止体で封止し、該封止体に上記発光ダイオード素子を通る光軸を有した凸レンズを形成してなる発光ダイオードランプにおいて、
上記発光ダイオード素子を複数備え、該複数の発光ダイオード素子全てを上記封止体で封止し、該封止体に上記凸レンズを１若しくは２以上設けたことを特徴とする発光ダイオードランプ。
【請求項８】
発光ダイオード素子を透光性樹脂からなる封止体で封止し、該封止体に上記発光ダイオード素子を通る光軸を有した凸レンズを形成してなる発光ダイオードランプにおいて、
上記発光ダイオード素子を複数備え、該複数の発光ダイオード素子全てを上記封止体で封止し、該封止体に、該各発光ダイオード素子毎に対応して、上記凸レンズを１若しくは２以上設けたことを特徴とする発光ダイオードランプ。
【請求項９】
上記各発光ダイオード素子毎に特定の凸レンズを設定し、該各特定の凸レンズの光軸の方向を互いに異ならせたことを特徴とする請求項８記載の発光ダイオードランプ。
【請求項１０】
上記封止体を、１つの特定の凸レンズに係る発光ダイオード素子の中心軸に対して回転対称形の円柱状の本体部を備えて構成し、該特定の凸レンズを上記本体部の上端部に形成し、他の特定の凸レンズを上記本体部の上端部以外に形成したことを特徴とする請求項９記載の発光ダイオードランプ。
【請求項１１】
上記特定の凸レンズ同士のなす角度βを、６０°≦β≦１５０°にしたことを特徴とする請求項９または１０記載の発光ダイオードランプ。
【請求項１２】
上記特定の凸レンズ同士のなす角度αを、９０°＜β≦１５０°にしたことを特徴とする請求項１１記載の発光ダイオードランプ。
【請求項１３】
上記各発光ダイオード素子毎に特定の凸レンズを設定し、該各特定の凸レンズの光軸の方向を互いに平行にしたことを特徴とする請求項８記載の発光ダイオードランプ。
【請求項１４】
上記封止体を、円柱状の本体部を備えて構成し、上記各特定の凸レンズを上記本体部の上端部に形成したことを特徴とする請求項１３記載の発光ダイオードランプ。
【請求項１５】
上記発光ダイオード素子に対応して２以上設けられる凸レンズにおいて、上記特定の凸レンズの光軸と他の凸レンズの光軸とのなす角度θを、６０°≦θ≦１５０°にしたことを特徴とする請求項９乃至１４いずれかに記載の発光ダイオードランプ。
【請求項１６】
上記特定の凸レンズの光軸と他の凸レンズの光軸とのなす角度θを、９０°＜θ≦１５０°にしたことを特徴とする請求項１５記載の発光ダイオードランプ。
【請求項１７】
上記特定の凸レンズの光軸を中心にした１つの円周上を他の凸レンズの光軸が交差するように該他の凸レンズを２以上形成したことを特徴とする請求項１５または１６記載の発光ダイオードランプ。
【請求項１８】
上記他の凸レンズを、上記特定の凸レンズの光軸を中心に互いに対称になるように形成したことを特徴とする請求項１７記載の発光ダイオードランプ。
【請求項１９】
上記凸レンズが、球面レンズであることを特徴とする請求項１乃至１８いずれかに記載の発光ダイオードランプ。
【請求項２０】
発光ダイオードランプを取付ける取付部と、該取付部を中心に拡開する反射面を有した笠状の反射鏡とを備えた発光ダイオードランプ装置において、
上記取付部に、上記請求項１乃至１９記載のいずれかに記載の発光ダイオードランプを１若しくは２以上取付けたことを特徴とする発光ダイオードランプ装置。
【発明の詳細な説明】
【技術分野】
【０００１】
本発明は、各種表示や照明などに用いられ発光ダイオード素子を封止した発光ダイオードランプ及びこれを１若しくは２以上配置して構成される発光ダイオード装置に関する。
【背景技術】
【０００２】
従来、例えば、図１９（ａ）（ｂ）に示すように、発光ダイオードランプ１としては、２本のリード端子２ａ，２ｂのうち、一方のリード端子２ａの先端部に発光ダイオード素子Ｓを固着し、この発光ダイオード素子Ｓと他方のリード端子２ｂの先端部との間を金属細線３で接続し、この発光ダイオード素子Ｓとリード端子２ａ，２ｂの先端部を、透光性樹脂からなる封止体４で封止し、この封止体４の先端に発光ダイオード素子Ｓを通りその中心軸と同軸の光軸Ｐａを有した凸レンズ５を形成したものがある（例えば特許文献１参照）。封止体４は、凸レンズ５の光軸Ｐａに対して回転対称形の円柱状の本体部６を有し、本体部６の底面７を光軸Ｐａに直交する平面で形成し、凸レンズ５を本体部６の上端部に形成してなる。
【０００３】
【特許文献１】特開平１１−４６０１３号公報
【発明の開示】
【発明が解決しようとする課題】
【０００４】
ところで、上記の従来の発光ダイオードランプ１にあっては、凸レンズ５を有する封止体４は、光軸Ｐａに対して回転対称形であり、また、発光ダイオード素子Ｓは凸レンズ５の光軸Ｐａ上に配置されているので、図１９（ｂ）に示すように、封止体４の外周から均一に光が送出されるもののその光量（ｅ）は少なく、また、この発光ダイオードランプ１の指向性は、凸レンズ５の収束作用により、その光軸Ｐａに沿った比較的狭い範囲Ｅになっているという問題があった。
【０００５】
また、このような発光ダイオードランプ１を備えた発光ダイオードランプ装置としては、例えば、図１９（ｂ）に示すように、発光ダイオードランプ１を中心に拡開する反射面８ａを有した笠状の反射鏡８を備えたものがあるが、発光ダイオードランプ１の封止体４の外周からの光量ｅは少ないので、反射鏡８の反射面８ａに反射しても輝度が弱く、凸レンズ５からの比較的狭い範囲Ｅの光が主流になっていることから、広い範囲から見られるような用途や、広い範囲を照射する用途には適さないという問題があった。
【０００６】
本発明は上記の問題点に鑑みて為されたもので、１つの封止体であっても送出される光の指向範囲を拡張し、広い範囲に光を送出できるようにして機能向上を図った発光ダイオードランプを提供することを目的とする。
また、指向範囲の広い発光ダイオードランプを用い、広い範囲から見られるような用途や、広い範囲を照射する用途には適した発光ダイオードランプ装置を提供することを目的とする。
【課題を解決するための手段】
【０００７】
このような目的を達成するため本発明の発光ダイオードランプは、発光ダイオード素子を透光性樹脂からなる封止体で封止し、該封止体に上記発光ダイオード素子を通る光軸を有した凸レンズを形成してなる発光ダイオードランプにおいて、上記封止体に光軸の異なる２以上の凸レンズを形成した構成としている。
これにより、発光ダイオード素子に通電されると、発光ダイオード素子から光が放射される。この光は、各凸レンズの収束作用により、その光軸に沿った範囲を主流にして送出される。この場合、凸レンズが２以上あるので、１つのものに比較して、光の指向範囲が拡張され、それだけ広い範囲に光を送出できるようになり、機能向上が図られる。
【０００８】
そして、必要に応じ、上記発光ダイオード素子に対して１つの特定の凸レンズを設定し、上記封止体を、上記発光ダイオード素子の中心軸に対して回転対称形の円柱状の本体部を備えて構成し、上記特定の凸レンズを上記本体部の上端部に形成し、他の凸レンズを上記本体部の上端部以外の部分に形成した構成としている。円柱状の本体部に凸レンズを設けるので、コンパクトになり小型化が図られる。
【０００９】
また、必要に応じ、上記発光ダイオード素子に対して１つの特定の凸レンズを設定し、該特定の凸レンズの光軸と他の凸レンズの光軸とのなす角度θを、６０°≦θ≦１５０°にした構成にしている。角度範囲を適宜選択することにより、使用目的に合わせることができ、汎用性が向上させられる。６０°に満たないと凸レンズ同士が重なるようになり、１５０°を超えるとリード端子の取り付けが難しくなって製造が複雑になるなどの不利が生じる。
この場合、必要に応じ、上記特定の凸レンズの光軸と他の凸レンズの光軸とのなす角度θを、９０°＜θ≦１５０°にしている。本体部の底面を特定の凸レンズの光軸に直交する平面で形成してなる場合には、他の凸レンズの光軸において光の放射方向は、本体部の底面よりも下向きになる。そのため、反射鏡などの反射面に対して、光を送出し易くなる。
また、必要に応じ、上記発光ダイオード素子に対して１つの特定の凸レンズを設定し、該特定の凸レンズの光軸を中心にした１つの円周上を他の凸レンズの光軸が交差するように該他の凸レンズを２以上形成した構成としている。他の凸レンズの指向の方向を特定の凸レンズに対して所定の方向にして、広い範囲に光を送出できるようになる。
【００１０】
更に、必要に応じ、上記他の凸レンズを、上記特定の凸レンズの光軸を中心に互いに対称になるように形成した構成としている。他の凸レンズの指向の方向を特定の凸レンズに対して対称の関係にして、広い範囲に光を送出できるようになる。
【００１１】
そしてまた、本発明の発光ダイオードランプは、発光ダイオード素子を透光性樹脂からなる封止体で封止し、該封止体に上記発光ダイオード素子を通る光軸を有した凸レンズを形成してなる発光ダイオードランプにおいて、上記発光ダイオード素子を複数備え、該複数の発光ダイオード素子全てを上記封止体で封止し、該封止体に上記凸レンズを１若しくは２以上設けた構成としている。発光ダイオード素子を複数備えたので、高輝度化が図られる。
【００１２】
また、本発明の発光ダイオードランプは、発光ダイオード素子を透光性樹脂からなる封止体で封止し、該封止体に上記発光ダイオード素子を通る光軸を有した凸レンズを形成してなる発光ダイオードランプにおいて、上記発光ダイオード素子を複数備え、該複数の発光ダイオード素子全てを上記封止体で封止し、該封止体に、該各発光ダイオード素子毎に対応して、上記凸レンズを１若しくは２以上設けた構成としている。
この構成において、各発光ダイオード素子は、単色のものでも良く、あるいは、例えば、赤色、緑色、青色等の組み合わせにしても良く、適宜に選択してよい。
これにより、各発光ダイオード素子に通電されると、各発光ダイオード素子から光が放射される。この光は、各凸レンズの収束作用により、その光軸に沿った範囲を主流にして送出される。この場合、発光ダイオード素子が複数あり、また、凸レンズも複数あるので、１つのものに比較して、光の指向範囲が拡張され、それだけ広い範囲に光を送出できるようになり、また高輝度化も図られ、機能向上が図られる。
また、各発光ダイオード素子の通電のタイミングを制御するようにすれば、１個の発光ダイオードランプで、信号の種類を増す等、コンパクトにして汎用性を増加させることができるようになる。
【００１３】
そして、必要に応じ、上記各発光ダイオード素子毎に特定の凸レンズを設定し、該各特定の凸レンズの光軸の方向を互いに異ならせた構成としている。広い範囲に光を送出できるようになる。
この場合、必要に応じ、上記封止体を、１つの特定の凸レンズに係る発光ダイオード素子の中心軸に対して回転対称形の円柱状の本体部を備えて構成し、該特定の凸レンズを上記本体部の上端部に形成し、他の特定の凸レンズを上記本体部の上端部以外に形成している。円柱状の本体部に凸レンズを設けるので、コンパクトになり小型化が図られる。
また、必要に応じ、上記特定の凸レンズ同士のなす角度βを、６０°≦β≦１５０°にしている。角度範囲を適宜選択することにより、使用目的に合わせることができ、汎用性が向上させられる。６０°に満たないと凸レンズ同士が重なるようになり、１５０°を超えるとリード端子の取り付けが難しくなって製造が複雑になるなどの不利が生じる。
この場合、必要に応じ、上記特定の凸レンズ同士のなす角度βを、９０°＜β≦１５０°にしている。本体部の底面を１つの特定の凸レンズの光軸に直交する平面で形成してなる場合には、他の特定の凸レンズの光軸において光の放射方向は、本体部の底面よりも下向きになる。そのため、反射鏡などの反射面に対して、光を送出し易くなる。
【００１４】
また、必要に応じ、上記各発光ダイオード素子毎に特定の凸レンズを設定し、該各特定の凸レンズの光軸の方向を互いに平行にした構成にしている。光の指向範囲が拡張され、それだけ広い範囲に光を送出できるようになるとともに、特定の凸レンズは共に光軸を平行にするので、同じ方向に光が送出され、それだけ、輝度を高くすることができる。
この場合、必要に応じ、上記封止体を、円柱状の本体部を備えて構成し、上記各特定の凸レンズを上記本体部の上端部に形成している。円柱状の本体部に凸レンズを設けるので、コンパクトになり小型化が図られる。
【００１５】
更に、必要に応じ、上記発光ダイオード素子に対応して２以上設けられる凸レンズにおいて、特定の凸レンズの光軸と他の凸レンズの光軸とのなす角度θを、６０°≦θ≦１５０°にした構成としている。角度範囲を適宜選択することにより、使用目的に合わせることができ、汎用性が向上させられる。６０°に満たないと凸レンズ同士が重なるようになり、１５０°を超えるとリード端子の取り付けが難しくなって製造が複雑になるなどの不利が生じる。
この場合、必要に応じ、上記特定の凸レンズの光軸と他の凸レンズの光軸とのなす角度θを、９０°＜θ≦１５０°にしている。本体部の底面を特定の凸レンズの光軸に直交する平面で形成してなる場合には、他の凸レンズの光軸において光の放射方向は、本体部の底面よりも下向きになる。そのため、反射鏡などの反射面に対して、光を送出し易くなる。
【００１６】
更にまた、必要に応じ、上記特定の凸レンズの光軸を中心にした１つの円周上を他の凸レンズの光軸が交差するように該他の凸レンズを２以上形成した構成としている。他の凸レンズの指向の方向を特定の凸レンズに対して所定の方向にして、広い範囲に光を送出できるようになる。
【００１７】
また、必要に応じ、上記他の凸レンズを、上記特定の凸レンズの光軸を中心に互いに対称になるように形成した構成としている。他の凸レンズの指向の方向を特定の凸レンズに対して対称の関係にして、広い範囲に光を送出できるようになる。
【００１８】
また、必要に応じ、上記凸レンズが、球面レンズである構成としている。設計を容易にすることができ、製造も容易になる。
【００１９】
次にまた、上記目的を達成するため本発明の発光ダイオードランプ装置は、発光ダイオードランプを取付ける取付部と、該取付部を中心に拡開する反射面を有した笠状の反射鏡とを備えた発光ダイオードランプ装置において、上記取付部に、上記構成のいずれかの発光ダイオードランプを、１若しくは２以上取付けた構成としている。この場合、できるだけ、各凸レンズの先端が反射鏡の反射面に対峙するように取付部に取付ける。これにより、指向範囲の広い発光ダイオードランプを用いたので、広い範囲から見られるような用途や、広い範囲を照射する用途に適した発光ダイオードランプ装置を提供することができる。
【発明の効果】
【００２０】
本発明の発光ダイオードランプによれば、発光ダイオード素子から放射される光は、各凸レンズの収束作用により、その光軸に沿った範囲を主流にして送出されるが、凸レンズが２以上あるので、１つのものに比較して、光の指向範囲を拡張することができ、それだけ広い範囲に光を送出できるようになり、機能向上を図ることができる。また、発光ダイオード素子の利用効率も向上させることができる。
【００２１】
また、本発明の発光ダイオードランプ装置によれば、指向範囲の広い発光ダイオードランプを用いたので、広い範囲から見られるような用途や、広い範囲を照射する用途に適した発光ダイオードランプ装置を提供することができる。
【発明を実施するための最良の形態】
【００２２】
以下、添付図面に基づいて本発明の実施の形態に係る発光ダイオードランプ及び発光ダイオードランプ装置について詳細に説明する。尚、上記と同様のものには同一の符号を付して説明する。
図１及び図２には、本発明の第１の実施の形態に係る発光ダイオードランプＬ１を示している。第１の実施の形態に係る発光ダイオードランプＬ１は、発光ダイオード素子Ｓを透光性樹脂からなる封止体１０で封止し、この封止体１０に発光ダイオード素子Ｓを通る光軸を有した凸レンズを形成してなる。
【００２３】
詳しくは、第１の実施の形態に係る発光ダイオードランプＬ１において、２本のリード端子２ａ，２ｂのうち、一方のリード端子２ａの先端部に発光ダイオード素子Ｓを固着し、この発光ダイオード素子Ｓと他方のリード端子２ｂの先端部との間を金属細線（図示せず、図１９（ａ）参照）で接続し、この発光ダイオード素子Ｓとリード端子２ａ，２ｂの先端部を、透光性樹脂からなる封止体１０で封止して構成されている。封止体１０は、発光ダイオード素子Ｓの中心軸Ｓａに対して回転対称形の円柱状の本体部１１を有し、本体部１１の底面１２を中心軸Ｓａに直交する平面で形成してなる。封止体１０の本体部１１の底面１２には、リード端子２ａ，２ｂを保持する樹脂などで形成された保持台部１３が固着されている。
【００２４】
そして、封止体１０には、発光ダイオード素子Ｓを通る光軸を有するとともに、その光軸の異なる球面レンズからなる２つの凸レンズＴ１，Ｔ２が形成されている。１つの凸レンズＴ１は、発光ダイオード素子Ｓの中心軸Ｓａと同軸の光軸Ｐ１を有し、本体部１１の上端部に形成され、特定の凸レンズＴ１として構成されている。他の凸レンズＴ２は本体部１１の側面に形成されている。特定の凸レンズＴ１の光軸Ｐ１と他の凸レンズＴ２の光軸Ｐ２とのなす角度θは、６０°≦θ≦１５０°に設定されている。この場合、角度θは、９０°＜θ≦１５０°に設定することができる。実施の形態では、例えば、９０°＜θ≦９５°にしている。本体部１１の底面１２が特定の凸レンズＴ１の光軸Ｐ１に直交する平面で形成されているので、他の凸レンズＴ２の光軸Ｐ２において光の放射方向は、本体部１１の底面１２よりも下向きになる。そのため、後述の反射鏡７２などの反射面７１に対して光を送出し易くなる。
【００２５】
従って、この第１の実施の形態に係る発光ダイオードランプＬ１によれば、図２に示すように、リード端子２ａ，２ｂを介して発光ダイオード素子Ｓに通電されると、発光ダイオード素子Ｓから光が放射される。この光は、凸レンズＴ１，Ｔ２の収束作用により、その光軸Ｐ１，Ｐ２に沿った範囲を主流にして送出される。この場合、凸レンズＴ１，Ｔ２が２つあるので、１つのものに比較して、光の指向範囲が拡張され、それだけ広い範囲に光を送出できるようになり、機能向上が図られる。
【００２６】
図３及び図４には、本発明の第２の実施の形態に係る発光ダイオードランプＬ２を示している。第２の実施の形態に係る発光ダイオードランプＬ２は、上記第１の実施の形態に係る発光ダイオードランプＬ１と同様に構成されるが、第１の実施の形態に係る発光ダイオードランプＬ１と異なって、封止体２０には、発光ダイオード素子Ｓを通る光軸Ｐ１，Ｐ２，Ｐ３を有するとともに、その光軸Ｐ１，Ｐ２，Ｐ３の異なる球面レンズからなる３つの凸レンズＴ１，Ｔ２，Ｔ３が形成されている。１つの凸レンズＴ１は、発光ダイオード素子Ｓの中心軸Ｓａと同軸の光軸Ｐ１を有し、上記と同様の本体部２１の上端部に形成され、特定の凸レンズＴ１として構成されている。図中、符合２２は本体部２１の底面、２３は保持台部である。
【００２７】
他の２つの凸レンズＴ２，Ｔ３は、本体部２１の側面に形成されている。他の２つの凸レンズＴ２，Ｔ３は、これらの光軸Ｐ２，Ｐ３が特定の凸レンズＴ１の光軸Ｐ１を中心にした１つの円周Ｙ（図３（ｂ））上を交差するように形成されている。円周Ｙは仮想の任意の円である。特定の凸レンズＴ１の光軸Ｐ１と他の凸レンズＴ２，Ｔ３の光軸Ｐ２，Ｐ３とのなす角度θは、６０°≦θ≦１５０°に設定されている。この場合、角度θは、９０°＜θ≦１５０°に設定することができる。実施の形態では、例えば、９０°＜θ≦９５°にしている。後述の反射鏡７２などの反射面７１に対して光を送出し易くなる。
また、他の２つの凸レンズＴ２，Ｔ３は、特定の凸レンズＴ１の光軸Ｐ１を中心に互いに対称になるように形成されている。即ち、他の２つの凸レンズＴ２，Ｔ３は、特定の凸レンズＴ１の光軸Ｐ１を中心にして、互いに１８０°の等角度関係の点対称位置にあり（図３（ｂ））、形状が同じでかつ線対称位置にある（図３（ａ）（ｂ））。
【００２８】
従って、この第２の実施の形態に係る発光ダイオードランプＬ２によれば、図４に示すように、リード端子２ａ，２ｂを介して発光ダイオード素子Ｓに通電されると、発光ダイオード素子Ｓから光が放射される。この光は、凸レンズＴ１，Ｔ２，Ｔ３の収束作用により、その光軸Ｐ１，Ｐ２，Ｐ３に沿った範囲を主流にして送出される。この場合、凸レンズＴ１，Ｔ２，Ｔ３が３つあるので、１つのものに比較して、光の指向範囲が拡張され、それだけ広い範囲に光を送出できるようになり、機能向上が図られる。
【００２９】
図５及び図６には、本発明の第３の実施の形態に係る発光ダイオードランプＬ３を示している。第３の実施の形態に係る発光ダイオードランプＬ３は、上記第１の実施の形態に係る発光ダイオードランプＬ１と同様に構成されるが、第１の実施の形態に係る発光ダイオードランプＬ１と異なって、封止体３０には、発光ダイオード素子Ｓを通る光軸Ｐ１，Ｐ２，Ｐ３，Ｐ４，Ｐ５を有するとともに、その光軸Ｐ１，Ｐ２，Ｐ３，Ｐ４，Ｐ５の異なる球面レンズからなる５つの凸レンズＴ１，Ｔ２，Ｔ３，Ｔ４，Ｔ５が形成されている。１つの凸レンズＴ１は、発光ダイオード素子Ｓの中心軸Ｓａと同軸の光軸Ｐ１を有し、本体部３１の上端部に形成され、特定の凸レンズＴ１として構成されている。図中、符合３２は本体部３１の底面、３３は保持台部である。
【００３０】
他の４つの凸レンズＴ２，Ｔ３，Ｔ４，Ｔ５は、本体部３１の側面に形成されている。他の４つの凸レンズＴ２，Ｔ３，Ｔ４，Ｔ５は、これらの光軸Ｐ２，Ｐ３，Ｐ４，Ｐ５が特定の凸レンズＴ１の光軸Ｐ１を中心にした１つの円周Ｙ（図５（ｂ））上を交差するように形成されている。円周Ｙは仮想の任意の円である。特定の凸レンズＴ１の光軸Ｐ１と他の凸レンズＴ２，Ｔ３，Ｔ４，Ｔ５の光軸Ｐ２，Ｐ３，Ｐ４，Ｐ５とのなす角度θは、６０°≦θ≦１５０°に設定されている。この場合、角度θは、９０°＜θ≦１５０°に設定することができる。実施の形態では、例えば、９０°＜θ≦９５°にしている。後述の反射鏡７２などの反射面７１に対して光を送出し易くなる。
また、他の４つの凸レンズＴ２，Ｔ３，Ｔ４，Ｔ５は、特定の凸レンズＴ１の光軸Ｐ１を中心に互いに対称になるように形成されている。即ち、他の４つの凸レンズＴ２，Ｔ３，Ｔ４，Ｔ５は、特定の凸レンズＴ１の光軸Ｐ１を中心にして、互いに９０°の等角度関係の点対称位置にあり（図５（ｂ））、形状が同じでかつ線対称位置にある（図５（ａ）（ｂ））。
【００３１】
従って、この第３の実施の形態に係る発光ダイオードランプＬ３によれば、図６に示すように、リード端子２ａ，２ｂを介して発光ダイオード素子Ｓに通電されると、発光ダイオード素子Ｓから光が放射される。この光は、凸レンズＴ１，Ｔ２，Ｔ３，Ｔ４，Ｔ５の収束作用により、その光軸Ｐ１，Ｐ２，Ｐ３，Ｐ４，Ｐ５に沿った範囲を主流にして送出される。この場合、凸レンズＴ１，Ｔ２，Ｔ３，Ｔ４，Ｔ５が５つあるので、１つのものに比較して、光の指向範囲が拡張され、それだけ広い範囲に光を送出できるようになり、機能向上が図られる。
【００３２】
図７には、本発明の第４の実施の形態に係る発光ダイオードランプＬ４を示している。第４の実施の形態に係る発光ダイオードランプＬ４は、発光ダイオード素子Ｓを透光性樹脂からなる封止体４０で封止し、この封止体４０に発光ダイオード素子Ｓを通る光軸Ｐ１，Ｐ２を有した凸レンズＴ１，Ｔ２を形成してなる。そして、第４の実施の形態に係る発光ダイオードランプＬ４は、発光ダイオード素子Ｓを複数（実施の形態では２つ）備え、この複数の発光ダイオード素子Ｓ全てを封止体４０で封止している。各発光ダイオード素子Ｓは、単色のものでも良く、あるいは、例えば、赤色、緑色、青色等の組み合わせにしても良く、適宜に選択してよい。実施の形態では、単色のものを複数備えている。また、一方の発光ダイオード素子Ｓ（Ａ）の中心軸Ｓａ（Ａ）と他方の発光ダイオード素子Ｓ（Ｂ）の中心軸Ｓａ（Ｂ）とのなす角度αは、６０°≦α≦１５０°に設定されている。この場合、角度αは、９０°＜α≦１５０°に設定することができる。実施の形態では、例えば、α＝１２０°に設定されている。
【００３３】
詳しくは、第４の実施の形態に係る発光ダイオードランプＬ４は、１つのリード端子２ａの先端部に一方の発光ダイオード素子Ｓ（Ａ）を固着し、他のリード端子２ｃの先端部に他方の発光ダイオード素子Ｓ（Ｂ）を固着し、また別のリード端子２ｂの先端部と各発光ダイオード素子Ｓ（Ａ），Ｓ（Ｂ）との間を夫々金属細線（図示せず、図１９（ａ）参照）で接続し、この２つの発光ダイオード素子Ｓ（Ａ），Ｓ（Ｂ）と各リード端子２ａ，２ｂ，２ｃの先端部を、透光性樹脂からなる封止体４０で封止して構成されている。封止体４０は、一方の発光ダイオード素子Ｓ（Ａ）を封止しその中心軸Ｓａ（Ａ）に対して回転対称形の円柱状の本体部４１を有し、本体部４１の底面４２を中心軸Ｓａ（Ａ）に直交する平面で形成してなる。封止体４０の本体部４１の底面４２には、リード端子２ａ，２ｂ，２ｃを保持する樹脂などで形成された保持台部４３が固着されている。本体部４１の側面には他方の発光ダイオード素子Ｓ（Ｂ）を封止する円柱状の突出部４４が保持台部４３より下向きに突出形成されている。
【００３４】
そして、この封止体４０に、各発光ダイオード素子Ｓ（Ａ），Ｓ（Ｂ）毎に対応して、凸レンズＴ１，Ｔ２を１若しくは２以上設けている。実施の形態では、各発光ダイオード素子Ｓ（Ａ），Ｓ（Ｂ）毎に対応して、球面レンズからなる凸レンズＴ１，Ｔ２を夫々１個設けている。各発光ダイオード素子Ｓ（Ａ），Ｓ（Ｂ）毎の凸レンズＴ１，Ｔ２は、光軸Ｐ１，Ｐ２の方向が互いに異なる特定の凸レンズＴ１，Ｔ２として設定されている。詳しくは、一方の発光ダイオード素子Ｓ（Ａ）に対応する一方の特定の凸レンズＴ１は、一方の発光ダイオード素子Ｓ（Ａ）の中心軸Ｓａ（Ａ）と同軸の光軸Ｐ１を有し、本体部４１の上端部に形成されている。他方の発光ダイオード素子Ｓ（Ｂ）に対応する他方の特定の凸レンズＴ２は、他方の発光ダイオード素子Ｓ（Ｂ）の中心軸Ｓａ（Ｂ）と同軸の光軸Ｐ２を有し、突出部４４の先端部に形成されている。これにより、一方の特定の凸レンズＴ１の光軸Ｐ１と他方の特定の凸レンズＴ２の光軸Ｐ２とのなす角度βは、上記一方の発光ダイオード素子Ｓ（Ａ）の中心軸Ｓａ（Ａ）と他方の発光ダイオード素子Ｓ（Ｂ）の中心軸Ｓａ（Ｂ）とのなす角度αと同じであり（α＝β）、６０°≦β≦１５０°に設定されている。この場合、角度βは、９０°＜β≦１５０°に設定することができる。実施の形態では、例えば、β＝１２０°に設定されている。後述の反射鏡７２などの反射面７１に対して光を送出し易くなる。
【００３５】
従って、この第４の実施の形態に係る発光ダイオードランプＬ４によれば、図７（ａ）に示すように、リード端子２ａ，２ｂ，２ｃを介して各発光ダイオード素子Ｓに通電されると、各発光ダイオード素子Ｓから光が放射される。この光は、各凸レンズＴ１，Ｔ２の収束作用により、その光軸Ｐ１，Ｐ２に沿った範囲を主流にして送出される。この場合、発光ダイオード素子Ｓが２つありこれらに対応する凸レンズＴ１，Ｔ２が２つあるので、１つのものに比較して、光の指向範囲が拡張され、それだけ広い範囲に光を送出できるようになり、また高輝度化も図られ、機能向上が図られる。
【００３６】
図８には、本発明の第５の実施の形態に係る発光ダイオードランプＬ５を示している。第５の実施の形態に係る発光ダイオードランプＬ５は、発光ダイオード素子Ｓを透光性樹脂からなる封止体５０で封止し、この封止体５０に発光ダイオード素子Ｓを通る光軸Ｐ１，Ｐ２，Ｐ３，Ｐ４を有した凸レンズＴ１，Ｔ２，Ｔ３，Ｔ４を形成してなる。そして、第４の実施の形態に係る発光ダイオードランプＬ４は、発光ダイオード素子Ｓを複数（実施の形態では４つ）備え、この複数の発光ダイオード素子Ｓ全てを封止体５０で封止している。４つの発光ダイオード素子Ｓの中心軸Ｓａは互いに平行であり、互いに対称関係に位置（正四角形の角部に位置する関係に位置）している。また、リード線２は適宜に設けられている。
【００３７】
詳しくは、４つの発光ダイオード素子Ｓ及びこれらのリード端子２の先端部は、透光性樹脂からなる封止体５０で封止して構成されている。封止体５０は、各発光ダイオード素子Ｓを夫々封止しこれらの中心軸Ｓａに対して回転対称形の円柱状の円柱部５５をその基端側で一体にしてなる円柱状の本体部５１を有し、本体部５１の底面５２を各中心軸Ｓａに直交する平面で形成してなる。封止体５０の本体部５１の底面５２には、リード端子２を保持する樹脂などで形成された円盤状の保持台部５３が固着されている。
【００３８】
そして、この封止体５０に、各発光ダイオード素子Ｓ毎に対応して、凸レンズＴ１，Ｔ２，Ｔ３，Ｔ４を１若しくは２以上設けている。実施の形態では、各発光ダイオード素子Ｓ毎に対応して、球面レンズからなる凸レンズＴ１，Ｔ２，Ｔ３，Ｔ４を夫々１個設けている。各発光ダイオード素子Ｓ毎の凸レンズＴ１，Ｔ２，Ｔ３，Ｔ４は、光軸Ｐ１，Ｐ２，Ｐ３，Ｐ４の方向が互いに平行な特定の凸レンズＴ１，Ｔ２，Ｔ３，Ｔ４として設定されている。詳しくは、各発光ダイオード素子Ｓに対応する各特定の凸レンズＴ１，Ｔ２，Ｔ３，Ｔ４は、本体部５１の各円柱部５５の上端部に形成されている。これにより、各特定の凸レンズＴ１，Ｔ２，Ｔ３，Ｔ４の光軸Ｐ１，Ｐ２，Ｐ３，Ｐ４の方向は互いに平行になっている。
【００３９】
従って、この第５の実施の形態に係る発光ダイオードランプＬ５によれば、リード端子２を介して各発光ダイオード素子Ｓに通電されると、各発光ダイオード素子Ｓから光が放射される。この光は、各凸レンズＴ１，Ｔ２，Ｔ３，Ｔ４の収束作用により、その光軸Ｐ１，Ｐ２，Ｐ３，Ｐ４に沿った範囲を主流にして送出される。この場合、発光ダイオード素子Ｓが４つありこれらに対応する凸レンズＴ１，Ｔ２，Ｔ３，Ｔ４が４つあるので、１つのものに比較して、光の指向範囲が拡張され、それだけ広い範囲に光を送出できるようになり、機能向上が図られる。しかも、４つの凸レンズＴ１，Ｔ２，Ｔ３，Ｔ４共に光軸Ｐ１，Ｐ２，Ｐ３，Ｐ４を平行にするので、同じ方向に光が送出され、それだけ、輝度が高くなる。
【００４０】
図９には、本発明の第６の実施の形態に係る発光ダイオードランプＬ６を示している。第６の実施の形態に係る発光ダイオードランプＬ６は、上記の第５の実施の形態に係る発光ダイオードランプＬ５と略同様に構成されるが、第５の実施の形態に係る発光ダイオードランプＬ５と異なって、封止体６０の２つの隣接する特定の凸レンズＴ２，Ｔ４が設けられた円柱部６５（ａ），６５（ｂ）に外向きの他の凸レンズＴ５，Ｔ６を形成している。特定の凸レンズＴ２，Ｔ４の光軸Ｐ２，Ｐ４と他の凸レンズＴ５，Ｔ６の光軸Ｐ５，Ｐ６とのなす角度θは、６０°≦θ≦１５０°に設定されている。この場合、角度θは、９０°＜θ≦１５０°に設定することができる。実施の形態では、例えば、θ＝１００°にしている。後述の反射鏡７２などの反射面７１に対して光を送出し易くなる。
【００４１】
また、他の凸レンズＴ５，Ｔ６は、その光軸Ｐ５，Ｐ６が互いに、０°≦γ≦２００°の角度関係、例えば、γ＝９０°で離間して突出形成されている。即ち、第６の実施の形態に係る発光ダイオードランプＬ６において、２つの発光ダイオード素子Ｓについては、上記の第１の実施の形態に係る発光ダイオードランプＬ１と同様の凸レンズＴ５，Ｔ６が設けられている。図９中、符合６２は本体部６１の底面、６３は保持台部である。
【００４２】
従って、この第６の実施の形態に係る発光ダイオードランプＬ６によれば、リード端子２を介して各発光ダイオード素子Ｓに通電されると、各発光ダイオード素子Ｓから光が放射される。この光は、各凸レンズＴ１，Ｔ２，Ｔ３，Ｔ４，Ｔ５，Ｔ６の収束作用により、その光軸Ｐ１，Ｐ２，Ｐ３，Ｐ４，Ｐ５，Ｐ６に沿った範囲を主流にして送出される。この場合、発光ダイオード素子Ｓが４つあり、また、凸レンズＴ１，Ｔ２，Ｔ３，Ｔ４，Ｔ５，Ｔ６が６つあるので、１つのものに比較して、光の指向範囲が拡張され、それだけ広い範囲に光を送出できるようになり、機能向上が図られる。しかも、凸レンズＴ１，Ｔ２，Ｔ３，Ｔ４，Ｔ５，Ｔ６のうち４つの凸レンズＴ１，Ｔ２，Ｔ３，Ｔ４は、共に光軸Ｐ１，Ｐ２，Ｐ３，Ｐ４を平行にするので、同じ方向に光が送出され、それだけ、輝度が高くなる。
【００４３】
図１０には、本発明の第７の実施の形態に係る発光ダイオードランプＬ７を示している。第７の実施の形態に係る発光ダイオードランプＬ７は、発光ダイオード素子Ｓを複数（実施の形態では６つ）備え、この複数の発光ダイオード素子Ｓを全てを円柱状の封止体６９で封止し、封止体６９の上端部に凸レンズＴ１を１つ設けて構成されている。従って、この第７の実施の形態に係る発光ダイオードランプＬ７によれば、発光ダイオード素子Ｓを６つも備えたので、高輝度化が図られる。
【００４４】
次に、本発明の実施の形態に係る発光ダイオードランプ装置について説明する。
図１１（ａ）（ｂ）には、第１の実施の形態に係る発光ダイオードランプ装置Ｋ１を示している。この第１の実施の形態に係る発光ダイオードランプ装置Ｋ１は、発光ダイオードランプを取付ける取付部７０と、取付部７０を中心に拡開する反射面７１を有した笠状の反射鏡７２とを備えている。反射鏡７２としては、反射面７１が円錐面状の直光型のものが用いられる。
第１の実施の形態に係る発光ダイオードランプ装置Ｋ１は、上記の第１の実施の形態に係る発光ダイオードランプＬ１を４つ用いる。詳しくは、各発光ダイオードランプＬ１を、互いに対称関係に位置（正四角形の角部に位置する関係に位置）させて取付部７０に取り付け、しかも、各発光ダイオードランプＬ１の他の凸レンズＴ２同士が外向きで互いに等角度（９０°）関係に位置するように、取付部７０に取り付けられている。これにより、他の凸レンズＴ２からの光は、反射鏡７２の反射面７１に反射して送出される。
【００４５】
従って、この第１の実施の形態に係る発光ダイオードランプ装置Ｋ１によれば、図１１（ｂ）に示すように、各発光ダイオードランプＬ１に通電されると、各発光ダイオード素子Ｓから光が放射される。この場合、発光ダイオードランプＬ１が４つあり、４つの特定の凸レンズＴ１からの光と、４つの他の凸レンズＴ２からの光が反射鏡７２の反射面７１に反射して送出される光とが、略同方向に送出され、それだけ、輝度が高くなるとともに、広い範囲から見られ、あるいは、広い範囲を照射することができるようになる。
【００４６】
尚、第１の実施の形態に係る発光ダイオードランプ装置Ｋ１においては、上記第４の実施の形態に係る発光ダイオードランプＬ４を４つ用いることもできる。また、発光ダイオードランプの数は、４つに限定されるものではなく、３以下、あるいは、５以上設けてよい。数が多いほど、円形の反射光が得られる。また、用いる発光ダイオードランプおいて、例えば、赤色、緑色、青色等の組み合わせにしても良い。この場合には、いずれかの発光ダイオードランプを選択的に点灯させることで、例えば、緊急告知灯，自動車のバックライトやウインカー等、異なる光源を必要とする場合などにも利用でき、用途に合った光源とすることができる。
【００４７】
図１２（ａ）（ｂ）には、第２の実施の形態に係る発光ダイオードランプ装置Ｋ２を示している。この第２の実施の形態に係る発光ダイオードランプ装置Ｋ２は、発光ダイオードランプを取付ける取付部７０と、取付部７０を中心に拡開する反射面７１を有した笠状の反射鏡７２とを備えている。反射鏡７２としては、反射面７１が直光型のものが用いられ、開口が楕円状に形成されている。
第２の実施の形態に係る発光ダイオードランプ装置Ｋ２は、上記の第２の実施の形態に係る発光ダイオードランプＬ２を１つ用いる。詳しくは、発光ダイオードランプＬ２は、２つの他の凸レンズＴ２，Ｔ３同士が反射鏡７２の楕円の長軸方向に沿うように、取付部７０に取り付けられている。
【００４８】
従って、この第２の実施の形態に係る発光ダイオードランプ装置Ｋ２によれば、図１２（ｂ）に示すように、発光ダイオードランプＬ２に通電されると、発光ダイオード素子Ｓから光が放射される。この場合、発光ダイオードランプＬ２の特定の凸レンズＴ１からの光と、２つの他の凸レンズＴ２，Ｔ３からの光が反射鏡７２の反射面７１に反射して送出される光とが、略同方向に送出され、それだけ、輝度が高くなるとともに、広い範囲から見られ、あるいは、広い範囲を照射することができるようになる。
【００４９】
図１３（ａ）（ｂ）には、第３の実施の形態に係る発光ダイオードランプ装置Ｋ３を示している。この第３の実施の形態に係る発光ダイオードランプ装置Ｋ３は、発光ダイオードランプを取付ける取付部７０と、取付部７０を中心に拡開する反射面７１を有した笠状の反射鏡７２とを備えている。反射鏡７２としては、反射面７１が円錐面状の直光型のものが用いられる。
第３の実施の形態に係る発光ダイオードランプ装置Ｋ３は、上記の第３の実施の形態に係る発光ダイオードランプＬ３を１つ用いる。
【００５０】
従って、この第３の実施の形態に係る発光ダイオードランプ装置Ｋ３によれば、図１３（ｂ）に示すように、発光ダイオードランプＬ３に通電されると、発光ダイオード素子Ｓから光が放射される。この場合、発光ダイオードランプＬ３の特定の凸レンズＴ１からの光と、４つの他の凸レンズＴ２，Ｔ３，Ｔ４，Ｔ５からの光が反射鏡７２の反射面７１に反射して送出される光とが、略同方向に送出され、それだけ、輝度が高くなるとともに、広い範囲から見られ、あるいは、広い範囲を照射することができるようになる。
【００５１】
図１４には、第４の実施の形態に係る発光ダイオードランプ装置Ｋ４を示している。この第４の実施の形態に係る発光ダイオードランプ装置Ｋ４は、第３の実施の形態に係る発光ダイオードランプ装置Ｋ３と略同様であるが、第３の実施の形態に係る発光ダイオードランプ装置Ｋ３と異なって、反射鏡７２として、反射面７１が球面状の散光型のものを用いている。これによれば、発光ダイオードランプの特定の凸レンズＴ１からの直進光と、４つの他の凸レンズＴ２，Ｔ３，Ｔ４，Ｔ５からの光が反射鏡７２の反射面７１に反射して送出される拡散光あるいは収束光とが送出され、それだけ、輝度が高くなるとともに、広い範囲から見られ、あるいは、広い範囲を照射することができるようになる。
【００５２】
図１５（ａ）（ｂ）には、第５の実施の形態に係る発光ダイオードランプ装置Ｋ５を示している。この第５の実施の形態に係る発光ダイオードランプ装置Ｋ５は、発光ダイオードランプを取付ける取付部７０と、取付部７０を中心に拡開する反射面７１を有した笠状の反射鏡７２とを備えている。反射鏡７２としては、反射面７１が直光型のものが用いられる。
第５の実施の形態に係る発光ダイオードランプ装置Ｋ５は、上記の第６の実施の形態に係る発光ダイオードランプＬ６を１つ用いる。
【００５３】
従って、この第５の実施の形態に係る発光ダイオードランプ装置Ｋ５によれば、図１５（ａ）（ｂ）に示すように、発光ダイオードランプＬ６に通電されると、発光ダイオード素子Ｓから光が放射される。この場合、各発光ダイオード素子Ｓに対応した４つの特定の凸レンズＴ１，Ｔ２，Ｔ３，Ｔ４からの光と、２つの発光ダイオード素子Ｓに対応して設けられた２つの他の凸レンズＴ５，Ｔ６からの光が反射鏡７２の反射面７１に反射して送出される光とが、略同方向に送出され、それだけ、輝度が高くなるとともに、広い範囲から見られ、あるいは、広い範囲を照射することができるようになる。
【００５４】
図１６には、第６の実施の形態に係る発光ダイオードランプ装置Ｋ６を示している。この第６の実施の形態に係る発光ダイオードランプ装置Ｋ６は、反射面７１を有した笠状の反射鏡７２を備え、上記の第６の実施の形態に係る発光ダイオードランプＬ６を４つ用いている。従って、４つの発光ダイオードランプＬ６に通電されると、各発光ダイオードランプＬ６において、発光ダイオード素子Ｓから光が放射される。この場合、各発光ダイオードランプＬ６において、各発光ダイオード素子Ｓに対応した４つの特定の凸レンズＴ１，Ｔ２，Ｔ３，Ｔ４からの光と、２つの発光ダイオード素子Ｓに対応して設けられた２つの他の凸レンズＴ５，Ｔ６からの光が反射鏡７２の反射面７１に反射して送出される光とが、略同方向に送出される。そのため、このような光を送出する発光ダイオードランプＬ６が４つ備えられているので、より一層輝度が高くなるとともに、広い範囲から見られ、あるいは、広い範囲を照射することができるようになる。
【００５５】
図１７には、別の発光ダイオードランプ装置を示している。これは、長方形状の筐体７５に、上記の第５の実施の形態に係る発光ダイオードランプＬ５を４つ並設したものである。間接照明用などに用いることができる。
【００５６】
尚、上記発光ダイオードランプ装置に係る実施の形態において、反射鏡７２として、反射面７１が円錐面状の直光型のものを用いた例においては、第３及び第４の実施の形態の関係のごとく、反射面７１が球面状の散光型のものを用いても良く、適宜変更して差支えない。
また、上記各実施の形態に係る発光ダイオードランプおいて、凸レンズの形状，数，凸レンズ同士の位置関係（例えば、角度θ，α，βの値）等、上述した条件に限定されるものではなく、例えば、図１８（ａ）（ｂ）に示すように、適宜変更してよい。また、封止する発光ダイオード素子Ｓの数についても、適宜に定めてよいことは勿論である。
【００５７】
更に、上記実施の形態に係る発光ダイオードランプおいて、発光ダイオード素子Ｓは、単色のものを用いているが、必ずしもこれに限定されるものではなく、例えば、赤色、緑色、青色等の組み合わせにしても良く、適宜に選択してよい。また、発光ダイオードランプを複数用いる実施の形態に係る発光ダイオードランプ装置においては、用いる発光ダイオードランプの数，種類や組み合わせ等の選択条件は上記に限定されない。例えば、赤色、緑色、青色等の組み合わせにしても良い。この場合には、いずれかの発光ダイオードランプを選択的に点灯させることで、例えば、緊急告知灯，自動車のバックライトやウインカー等、異なる光源を必要とする場合などにも利用でき、用途に合った光源とすることができる。
【図面の簡単な説明】
【００５８】
【図１】本発明の第１の実施の形態に係る発光ダイオードランプを示し、（ａ）は側面図、（ｂ）は平面図である。
【図２】本発明の第１の実施の形態に係る発光ダイオードランプの作用を示す側面図である。
【図３】本発明の第２の実施の形態に係る発光ダイオードランプを示し、（ａ）は側面図、（ｂ）は平面図である。
【図４】本発明の第２の実施の形態に係る発光ダイオードランプの作用を示す側面図である。
【図５】本発明の第３の実施の形態に係る発光ダイオードランプを示し、（ａ）は側面図、（ｂ）は平面図である。
【図６】本発明の第３の実施の形態に係る発光ダイオードランプの作用を示す側面図である。
【図７】本発明の第４の実施の形態に係る発光ダイオードランプを示し、（ａ）は側面図、（ｂ）は平面図である。
【図８】本発明の第５の実施の形態に係る発光ダイオードランプを示し、（ａ）は側面図、（ｂ）は平面図である。
【図９】本発明の第６の実施の形態に係る発光ダイオードランプを示し、（ａ）は側面図、（ｂ）は平面図である。
【図１０】本発明の第７の実施の形態に係る発光ダイオードランプ装置を示し、（ａ）は側面図、（ｂ）は平面図、（ｃ）は回路図である。
【図１１】本発明の第１の実施の形態に係る発光ダイオードランプ装置を示し、（ａ）は平面図、（ｂ）は作用を示す側面断面図である。
【図１２】本発明の第２の実施の形態に係る発光ダイオードランプ装置を示し、（ａ）は平面図、（ｂ）は作用を示す側面断面図である。
【図１３】本発明の第３の実施の形態に係る発光ダイオードランプ装置を示し、（ａ）は平面図、（ｂ）は作用を示す側面断面図である。
【図１４】本発明の第４の実施の形態に係る発光ダイオードランプ装置をその作用とともに示す側面断面図である。
【図１５】本発明の第５の実施の形態に係る発光ダイオードランプ装置を示し、（ａ）は平面図、（ｂ）は作用を示す側面断面図である。
【図１６】本発明の第６の実施の形態に係る発光ダイオードランプ装置を示す平面図である。
【図１７】本発明の実施の形態に係る発光ダイオードランプを用いた発光ダイオードランプ装置の別の例を示し、（ａ）は平面図、（ｂ）は側面図である。
【図１８】本発明の別の発光ダイオードランプの例を示す図である。
【図１９】従来の発光ダイオードランプの一例を示し、（ａ）は詳細構造図、（ｂ）は問題点を示す図である。
【符号の説明】
【００５９】
Ｌ１，Ｌ２，Ｌ３，Ｌ４，Ｌ５，Ｌ６，Ｌ７  発光ダイオードランプ
Ｓ  発光ダイオード素子
Ｓａ  中心軸
１０，２０，３０，４０，５０，６０，６９  封止体
１１，２１，３１，４１，５１，６１  本体部
Ｔ１，Ｔ２，Ｔ３，Ｔ４，Ｔ５，Ｔ６  凸レンズ
Ｐ１，Ｐ２，Ｐ３，Ｐ４，Ｐ５，Ｐ６  光軸
Ｋ１，Ｋ２，Ｋ３，Ｋ４，Ｋ５，Ｋ６  発光ダイオードランプ装置
７０  取付部
７１  反射面
７２  反射鏡
【図１】
2007157911.tif 000003
【図２】
2007157911.tif 000004
【図３】
2007157911.tif 000005
【図４】
2007157911.tif 000006
【図５】
2007157911.tif 000007
【図６】
2007157911.tif 000008
【図７】
2007157911.tif 000009
【図８】
2007157911.tif 000010
【図９】
2007157911.tif 000011
【図１０】
2007157911.tif 000012
【図１１】
2007157911.tif 000013
【図１２】
2007157911.tif 000014
【図１３】
2007157911.tif 000015
【図１４】
2007157911.tif 000016
【図１５】
2007157911.tif 000017
【図１６】
2007157911.tif 000018
【図１７】
2007157911.tif 000019
【図１８】
2007157911.tif 000020
【図１９】
2007157911.tif 000021